(57)【要約】      （修正有）【課題】刺し餌を容易に海底まで到達でき、しかも海底の環境を保全することを目的とした撒き餌容器を提供する。【解決手段】撒き餌容器本体１０を略コップ状に形成し、上面は開口し、下部の底部には上下に貫通する貫通口１３を穿孔している。撒き餌容器本体１０の両側には上方に至るほど拡開する略Ｖ字型のスリット１４を切り欠き形成している。刺し餌７を付けた釣り針６を撒き餌容器本体１０内に収納し、ハリス４に付けている浮玉５をスリット１４に着脱自在に仮係止する。その後撒き餌８を撒き餌容器本体１０内に充填し、撒き餌容器本体１０を海中にハリス４を介して落下させる。落下途中で撒き餌８が散乱し、撒き餌容器本体１０が海底に達すると、釣り竿１を上げて浮玉５をスリット１４から外す。刺し餌７に目的魚である比較的大きな魚が食いつく。【選択図】図５
2013118822.tif 000002
【特許請求の範囲】
【請求項１】
釣り竿（１）から送り出されているハリス（４）の先端の釣り針（６）に刺し餌（７）を付け、撒き餌（８）を撒きながら目的魚を釣るための撒き餌容器であり、
刺し餌（７）を付けた前記釣り針（６）を内部に収納する撒き餌容器本体（１０）を形成し、
前記撒き餌容器本体（１０）は上下に貫通しており、
前記撒き餌容器本体（１０）の内部に前記刺し餌（７）を覆うようにして前記撒き餌（８）を充填し、
前記刺し餌（７）及び撒き餌（８）を一体化した撒き餌容器本体（１０）を水中に落下させるようにしていることを特徴とする撒き餌容器。
【請求項２】
前記撒き餌容器本体（１０）の材料は、海底と同じ成分である砂、土、泥、石粉のいずれか、あるいは組み合わせからなり、
前記材料を結合して乾燥固化するための結合素材として、海底で自然に分解するように生分解性接着剤、生分解性プラスティックのいずれかを用いていることを特徴とする請求項１に記載の撒き餌容器。
【請求項３】
前記撒き餌容器本体（１０）は、上面が開口した略コップ形状であり、
底部（１２）には上下に貫通する貫通口（１３）が穿孔され、
前記撒き餌容器本体（１０）の側部には上面及び両側面が開口したスリット（１４）が少なくとも１つ切り欠き形成されており、
前記スリット（１４）は上方に至るほど略Ｖ字型に拡開し、
前記スリット（１４）にはハリス（４）に取り付けられている浮玉（５）が着脱自在に仮係止されるようにしていることを特徴とする請求項１または請求項２に記載の撒き餌容器。
【請求項４】
前記撒き餌容器本体（１０）は、上面が開口した略コップ形状であり、
底部（１２）には上下に貫通する貫通口（１３）が穿孔され、
前記撒き餌容器本体（１０）の側部には上面及び内側面が開口した溝（１５）が少なくとも１つ凹設されており、
前記溝（１５）は上方に至るほど略Ｖ字型に拡開し、
前記溝（１５）にはハリス（４）に取り付けられている浮玉（５）が着脱自在に仮係止されるようにしていることを特徴とする請求項１または請求項２に記載の撒き餌容器。
【請求項５】
前記撒き餌容器本体（１０）は、上下に貫通する筒状であり、
前記撒き餌容器本体（１０）の側部には、軸方向に全長にわたってスリット（２２）が切り欠き形成されていることを特徴とする請求項１または請求項２に記載の撒き餌容器。
【請求項６】
前記撒き餌容器本体（１０）の断面を略楕円形状としていることを特徴とする請求項５に記載の撒き餌容器。
【請求項７】
前記撒き餌容器本体（１０）の少なくとも一方の端面を傾斜面（２１）としていることを特徴とする請求項５または請求項６に記載の撒き餌容器。
【発明の詳細な説明】
【技術分野】
【０００１】
本発明は、釣り針に付けた刺し餌と撒き餌を一緒に詰めた容器を海底まで落としていき、海底付近にいる目的魚である比較的大きな魚を釣るための撒き餌容器に関するものである。
【背景技術】
【０００２】
従来より、魚の釣り方で、筏の団子釣りや紀州釣りと呼ばれる団子使用のウキ釣りが行なわれている。この団子釣りは、水面（海面）から海底までの間に雑多な魚がいる中で目的の魚種を釣るための工夫として古くから行なわれているもので、現在でも効果のある釣り方であり、各地の釣り場で実行されている。
この釣り方に使用されている団子について地域によって異なるが、大半は山で採掘する赤土や、米ぬかをベースにした材料に各種の集魚剤や餌をブレンドして販売されている。
【０００３】
この材料に水（海水）を混ぜ合わせて適当な硬さに練り上げて団子が形成できるようにし、釣り仕掛けの最先端に位置する針に刺し餌をつけ前記材料で包んで団子状にして海中に投入する。投入された該団子は、仕掛けに連結されている無抵抗な状態の糸（道糸）を海中に引き込みながら海底に向かって落下していく。
【０００４】
この時、落下途中の団子に包まれた刺し餌は、目的外の小魚や他魚に奪われることなく海底に到達する。到達すると、ほぼ同時に団子が割れる、又は分解するように釣り人が水深に合わせて硬さを予め調整してあるので、該団子の分解と同時に団子の中の刺し餌が無傷のまま水中（海中）に放出される。
そして、海底付近にいる目的魚である比較的大きな魚が無傷の刺し餌に食いつくように釣り人が釣り竿を操作する。
【０００５】
一方、従来のこの方式の釣り方では刺し餌を赤土団子やぬか団子で包んで海底まで届けることで餌取り（目的外の小魚）の干渉を防いでいるが、海底に残されるのは本来その環境にない赤土やぬかである。そのため、一日中、多数の釣り人が釣っている場所の海底では、その赤土団子やぬか団子の残骸が海底の環境を破壊している。
【０００６】
小舟を一定位置に固定したかかり釣りや、固定した筏に乗っての筏釣りでは、その海底に残された残骸が小山のようになっているし、水質も非常に悪化している。かかる状況における釣り場の海底はヘドロ状態で、一部的に生態系すら危うい危機的な状況になりつつある。
そこで、良心的な釣り場管理業者（漁師等）は、定期的に浚渫して環境の保全を図るようにしているが、それらは多大な経費がかかるために殆ど実行されないし野放し状態となっている。
【発明の概要】
【発明が解決しようとする課題】
【０００７】
本発明は上述の問題点に鑑みて提供したものであって、刺し餌を容易に海底まで到達でき、しかも海底の環境を保全することを目的とした撒き餌容器を提供するものである。
【課題を解決するための手段】
【０００８】
そこで、本発明の請求項１に記載の撒き餌容器では、釣り竿１から送り出されているハリス４の先端の釣り針６に刺し餌７を付け、撒き餌８を撒きながら目的魚を釣るための撒き餌容器であり、
刺し餌７を付けた前記釣り針６を内部に収納する撒き餌容器本体１０を形成し、
前記撒き餌容器本体１０は上下に貫通しており、
前記撒き餌容器本体１０の内部に前記刺し餌７を覆うようにして前記撒き餌８を充填し、
前記刺し餌７及び撒き餌８を一体化した撒き餌容器本体１０を水中に落下させるようにしていることを特徴としている。
【０００９】
請求項２に記載の撒き餌容器では、前記撒き餌容器本体１０の材料は、海底と同じ成分である砂、土、泥、石粉のいずれか、あるいは組み合わせからなり、
前記材料を結合して乾燥固化するための結合素材として、海底で自然に分解するように生分解性接着剤、生分解性プラスティックのいずれかを用いていることを特徴としている。
【００１０】
請求項３に記載の撒き餌容器では、前記撒き餌容器本体１０は、上面が開口した略コップ形状であり、
底部１２には上下に貫通する貫通口１３が穿孔され、
前記撒き餌容器本体１０の側部には上面及び両側面が開口したスリット１４が少なくとも１つ切り欠き形成されており、
前記スリット１４は上方に至るほど略Ｖ字型に拡開し、
前記スリット１４にはハリス４に取り付けられている浮玉５が着脱自在に仮係止されるようにしていることを特徴としている。
【００１１】
請求項４に記載の撒き餌容器では、前記撒き餌容器本体１０は、上面が開口した略コップ形状であり、
底部１２には上下に貫通する貫通口１３が穿孔され、
前記撒き餌容器本体１０の側部には上面及び内側面が開口した溝１５が少なくとも１つ凹設されており、
前記溝１５は上方に至るほど略Ｖ字型に拡開し、
前記溝１５にはハリス４に取り付けられている浮玉５が着脱自在に仮係止されるようにしていることを特徴としている。
【００１２】
請求項５に記載の撒き餌容器では、前記撒き餌容器本体１０は、上下に貫通する筒状であり、
前記撒き餌容器本体１０の側部には、軸方向に全長にわたってスリット２２が切り欠き形成されていることを特徴としている。
【００１３】
請求項６に記載の撒き餌容器では、前記撒き餌容器本体１０の断面を略楕円形状としていることを特徴としている。
【００１４】
請求項７に記載の撒き餌容器では、前記撒き餌容器本体１０の少なくとも一方の端面を傾斜面２１としていることを特徴としている。
【発明の効果】
【００１５】
本発明の請求項１に記載の撒き餌容器によれば、刺し餌７を付けた前記釣り針６を内部に収納する撒き餌容器本体１０を形成し、前記撒き餌容器本体１０は上下に貫通しており、前記撒き餌容器本体１０の内部に前記刺し餌７を覆うようにして前記撒き餌８を充填し、前記刺し餌７及び撒き餌８を一体化した撒き餌容器本体１０を水中に落下させるようにしていることで、撒き餌容器本体１０が落下していく途中で撒き餌８を散乱させていき、海底付近では、この撒かれた撒き餌８を目指して海底付近にいる目的魚である大きさな魚が泳いできて、刺し餌７に魚が食いつくことで、目的魚を釣り上げることができる。
【００１６】
請求項２に記載の撒き餌容器によれば、前記撒き餌容器本体１０の材料は、海底と同じ成分である砂、土、泥、石粉のいずれか、あるいは組み合わせからなり、前記材料を結合して乾燥固化するための結合素材として、海底で自然に分解するように生分解性接着剤、生分解性プラスティックのいずれかを用いていることで、撒き餌容器本体１０が海底で分解しても、材料自体が海底に存在するものと同じであるので、環境破壊、自然破壊をすることはない。
【００１７】
請求項３に記載の撒き餌容器によれば、前記撒き餌容器本体１０は、上面が開口した略コップ形状であり、底部１２には上下に貫通する貫通口１３が穿孔され、前記撒き餌容器本体１０の側部には上面及び両側面が開口したスリット１４が少なくとも１つ切り欠き形成されており、前記スリット１４は上方に至るほど略Ｖ字型に拡開し、前記スリット１４にはハリス４に取り付けられている浮玉５が着脱自在に仮係止されるようにしているので、撒き餌容器本体１０が海底に到達すると、浮玉５が撒き餌容器本体１０のスリット１４から外れるように釣り人が釣り竿１を上げる。釣り竿１を上げると、スリット１４は上方にいくほど略Ｖ字型に拡開しているので、浮玉５はスリット１４から容易に外すことができる。また、同時に、刺し餌７を付けた釣り針６が上げられるので、撒き餌８も多くが海中に散乱する。
そして、海底付近ではこの撒かれた撒き餌８を目指して海底付近にいる目的魚である大きさな魚が泳いできて、刺し餌７に魚が食いつくことで、目的魚を釣り上げることができる。
【００１８】
請求項４に記載の撒き餌容器によれば、前記撒き餌容器本体１０は、上面が開口した略コップ形状であり、底部１２には上下に貫通する貫通口１３が穿孔され、前記撒き餌容器本体１０の側部には上面及び内側面が開口した溝１５が少なくとも１つ凹設されており、前記溝１５は上方に至るほど略Ｖ字型に拡開し、前記溝１５にはハリス４に取り付けられている浮玉５が着脱自在に仮係止されるようにしているので、撒き餌容器本体１０が海底に到達すると、浮玉５が撒き餌容器本体１０の溝１５から外れるように釣り人が釣り竿１を上げる。釣り竿１を上げると、溝１５は上方にいくほど略Ｖ字型に拡開しているので、浮玉５は溝１５から容易に外すことができる。また、同時に、刺し餌７を付けた釣り針６が上げられるので、撒き餌８も多くが海中に散乱する。
そして、海底付近ではこの撒かれた撒き餌８を目指して海底付近にいる目的魚である大きさな魚が泳いできて、刺し餌７に魚が食いつくことで、目的魚を釣り上げることができる。
【００１９】
請求項５に記載の撒き餌容器によれば、前記撒き餌容器本体１０は、上下に貫通する筒状であり、前記撒き餌容器本体１０の側部には、軸方向に全長にわたってスリット２２が切り欠き形成されていることで、釣り針６に刺し餌７をセットし、次に、釣り針６を撒き餌容器本体１０より下方に位置させた状態でハリス４を撒き餌容器本体１０のスリット２２から挿通させてハリス４を撒き餌容器本体１０の内部に持っていく。そして、片手で撒き餌容器本体１０を持った状態で、他方の手で持っているハリス４を引き上げていき、刺し餌７が撒き餌容器本体１０の内部に位置させる。これにより、狭い撒き餌容器本体１０の内部に釣り針６及び刺し餌７をスムーズに収納することができる。
【００２０】
請求項６に記載の撒き餌容器によれば、前記撒き餌容器本体１０の断面を略楕円形状としているので、撒き餌容器本体１０内で撒き餌８が左右に大きく振れることがなく、そのため、撒き餌８や釣り針６が撒き餌容器本体１０の内面に引っかかることがなく、刺し餌７をスムーズに撒き餌容器本体１０から引き上げることができる。
【００２１】
請求項７に記載の撒き餌容器によれば、前記撒き餌容器本体１０の少なくとも一方の端面を傾斜面２１としていることで、片手で撒き餌容器本体１０を持って、他方の手で撒き餌８を撒き餌容器本体１０内に詰めていき、ほぼ撒き餌８を詰めきった際に、撒き餌容器本体１０を持っている手の親指で撒き餌８を押さえつつ撒き餌８の上面を傾斜面２１に沿って滑らすことで、撒き餌８を撒き餌容器本体１０内に充填し易く、且つ上面を綺麗に整えることができる。
特に、撒き餌容器本体１０を持っている手の親指を該撒き餌容器本体１０の端面に沿って前後に滑らす場合、傾斜面２１の場合は、親指を前後に傾斜面２１に沿って動かすので、親指を前後に動かすことがやり易くなり、スムーズに撒き餌８を詰めることができる。
しかし、撒き餌容器本体１０の端面が傾斜面２１ではなく、撒き餌容器本体１０の軸方向に対して直角になっていると、親指を前後に動かしにくくなり、スムーズに撒き餌８の充填作業や端面を整えることができず、時間がかかってしまうことになる。
【図面の簡単な説明】
【００２２】
【図１】本発明の第１の実施の形態における撒き餌容器本体を用いて釣りをしている場合の説明図である。
【図２】本発明の第１の実施の形態における撒き餌容器本体の斜視図である。
【図３】本発明の第１の実施の形態における撒き餌容器本体の平面図である。
【図４】本発明の第１の実施の形態における撒き餌容器本体に釣り針をセットして撒き餌を充填した状態を示す断面図である。
【図５】本発明の第１の実施の形態における撒き餌容器本体を海底に落下させていく場合の説明図である。
【図６】本発明の第１の実施の形態における撒き餌容器本体が海底に到達した際に釣り針を撒き餌容器本体から外す場合の説明図である。
【図７】本発明の第１の実施の形態における他の例の撒き餌容器本体の斜視図である。
【図８】本発明の第１の実施の形態における更に他の例の撒き餌容器本体の斜視図である。
【図９】本発明の第１の実施の形態における更に他の例の撒き餌容器本体の平面図である。
【図１０】（ａ）〜（ｃ）は本発明の第２の実施の形態における撒き餌容器本体の平面図、正面図及び側面図である。
【図１１】本発明の第２の実施の形態におけるスリット側から見た撒き餌容器本体の斜視図である。
【図１２】本発明の第２の実施の形態におけるスリット側を背面とした場合の撒き餌容器本体の斜視図である。
【図１３】本発明の第２の実施の形態における一方の端面に傾斜面を設けた場合の撒き餌容器本体の正面図である。
【図１４】（ａ）（ｂ）は本発明の第２の実施の形態における傾斜面を設けていない場合の撒き餌容器本体の斜視図及び正面図である。
【図１５】本発明の第２の実施の形態における略楕円形状とした撒き餌容器本体の斜視図である。
【図１６】本発明の第２の実施の形態における略楕円形状とした撒き餌容器本体の側面図である。
【図１７】（ａ）（ｂ）は本発明の第２の実施の形態における両側の端面に傾斜面を設けた場合の撒き餌容器本体の正面図及び側面図である。
【図１８】（ａ）（ｂ）は本発明の第２の実施の形態における両側の端面に傾斜面を設けていない場合の撒き餌容器本体の正面図及び側面図である。
【図１９】本発明の第２の実施の形態における略三角形状とした場合の撒き餌容器本体の斜視図である。
【図２０】本発明の第２の実施の形態における略三角形状とした場合の撒き餌容器本体の側面図である。
【図２１】（ａ）（ｂ）は本発明の第２の実施の形態における両側の端面に傾斜面を設けていない場合の撒き餌容器本体の正面図及び側面図である。
【図２２】（ａ）（ｂ）は本発明の第２の実施の形態における両側の端面に傾斜面を設けていない場合の撒き餌容器本体の正面図及び側面図である。
【図２３】本発明の第２の実施の形態における撒き餌容器本体を製造する場合の説明図である。
【図２４】（ａ）（ｂ）は本発明の第２の実施の形態における撒き餌容器本体を製造する場合の説明図である。
【図２５】本発明の第２の実施の形態における撒き餌容器本体を製造する場合の説明図である。
【図２６】本発明の第２の実施の形態における撒き餌容器本体を製造する場合の説明図である。
【図２７】本発明の第２の実施の形態における撒き餌容器本体を製造する場合の説明図である。
【図２８】本発明の第２の実施の形態における撒き餌容器本体を製造する場合の説明図である。
【図２９】本発明の第２の実施の形態における撒き餌容器本体を販売する場合の説明図である。
【図３０】本発明の第２の実施の形態における撒き餌容器本体の使い方の説明図である。
【図３１】（ａ）（ｂ）は本発明の第２の実施の形態における撒き餌容器本体の使い方の説明図である。
【図３２】本発明の第２の実施の形態における撒き餌容器本体の使い方の説明図である。
【図３３】本発明の第２の実施の形態における撒き餌容器本体の使い方の説明図である。
【図３４】本発明の第２の実施の形態における撒き餌容器本体の使い方の説明図である。
【図３５】本発明の第２の実施の形態における撒き餌容器本体の使い方の説明図である。
【図３６】本発明の第２の実施の形態における撒き餌容器本体の使い方の説明図である。
【発明を実施するための形態】
【００２３】
（第１の実施の形態）
以下、本発明の第１の実施の形態を図面を参照して詳細に説明する。図１は本発明の撒き餌容器本体１０を使って海底付近で泳いでいる比較的大きな魚（目的魚）を釣る場合の図を示している。釣り竿１の基部にはリール２が装着されており、このリール２から釣り竿１に沿って道糸３が錘（図示せず）まで垂下されている。
錘から接続されているハリス４の先端にセットされている浮玉５を介して釣り針６が取り付けられており、この釣り針６に目的魚を釣るための刺し餌７が付けられる。なお、浮玉５は、ゴム製あるいはプラスティック製である。
【００２４】
そして、海面近くには小魚が浮遊しており、また、釣ろうとしている目的魚は小魚が浮遊している箇所よりもかなり深い海底近くで泳いでいることが多い。本発明の撒き餌容器本体１０に刺し餌７を付けた釣り針６を仮固定すると共に、撒き餌容器本体１０内に撒き餌を詰めて、撒き餌容器本体１０を海底まで降ろしていく。そして、撒き餌容器本体１０から釣り針６を外して、目的魚がいる海底付近で刺し餌７を流して目的魚を釣るものである。
【００２５】
以下、図２〜図４にて撒き餌容器本体１０の詳細について説明する。図２は撒き餌容器本体１０の斜視図を示し、図３は撒き餌容器本体１０の平面図を示している。この撒き餌容器本体１０は、略コップ状の形状に形成されており、内部の空間部分を撒き餌８（図４参照）を充填する撒き餌保持部１１としている。
また、撒き餌容器本体１０の底部１２は、厚みを厚くしており、撒き餌容器本体１０自体の重心を下部にし、撒き餌容器本体１０を海中に降ろす場合に底部１２を先端にして海底へと撒き餌容器本体１０がふらつくことなくスムーズに降ろすことができるようにしている。
【００２６】
さらに、撒き餌容器本体１０の底部１２の略中央部分には上下に貫通する貫通口１３が穿孔されている。この貫通口１３は、撒き餌容器本体１０の撒き餌保持部１１内に充填した撒き餌８を、撒き餌容器本体１０を海底に落下させていく際に海水が貫通口１３から浸入して該海水により少しづつ海中に撒くためのものである。
【００２７】
また、撒き餌容器本体１０の両側には上面を開口した略Ｖ字型のスリット１４を切り欠き形成している。このスリット１４は、上方へいくに従い拡開した形状としており、ハリス４に取り付ける浮玉５の大きさに応じて、つまり、小さな浮玉５でも、また大きな浮玉５でもスリット１４に浮玉５が着脱自在に仮固定（仮係止）できるようにしているものである。
つまり、小さな浮玉５の場合は、スリット１４の下部で、大きな浮玉５の場合は、スリット１４の上部で浮玉５を仮固定でき、浮玉５の大きさが異なっても対応できるようにしている。
【００２８】
なお、スリット１４の開口幅は浮玉５の大きさを考慮して任意に設定できるものである。また、スリット１４の数も任意に設定することができる。もちろん、スリット１４の数は１つでも良い。
【００２９】
次に、撒き餌容器本体１０の材料について説明する。撒き餌容器本体１０の材料は、海底に存在するものと同じ材料を用いるようにしており、砂、土、泥、石粉のいずれか、あるいはこれらを組み合わせた素材を用いている。これらのいずれかの素材に水（海水）を混入して混ぜるとと共に、存在を接着させると同時に、海底の中で約半日から約一日程度で分解するように生分解性接着剤、生分解性プラスティック等の結合素材を用いている。
そして、図２に示すような略コップ状に固めた後に乾燥させることで、図４に示すような固形の撒き餌容器本体１０を製造することができる。
【００３０】
本発明の撒き餌容器本体１０は、使用後に海底で自然分解するように混合した材料で形成しているものであり、撒き餌容器本体１０が海底で分解しても、材料自体が海底に存在するものと同じであるので、環境破壊、自然破壊をすることはない。
【００３１】
次に、撒き餌容器本体１０の使用方法について説明する。先ず、図４に示すように、ハリス４の先端の釣り針６に刺し餌７を付け、釣り針６と刺し餌７を撒き餌容器本体１０内に位置決めすると共に、浮玉５をスリット１４の上部から下方へ挿入していき、浮玉５の大きさに合った位置まで下げた時点で浮玉５がスリット１４内に仮固定される。次に、撒き餌容器本体１０内に撒き餌８を充填する。
【００３２】
そして、図５に示すように、釣り竿１のリール２から道糸３、ハリス４を送り出して撒き餌容器本体１０を海底に落下させていく。撒き餌容器本体１０を落下させていく途中では、撒き餌容器本体１０の下部の貫通口１３から海水が浸入して撒き餌８を少しづつ撒いていく。この海中に放出された撒き餌８に小魚が食いつく。なお、撒き餌８を撒き餌容器本体１０内に充填する場合、固めに充填するのではなく、海中に落下させる際に、貫通口１３からの海水にて撒き餌８が撒かれる程度に少し緩めに充填するのが良い。
【００３３】
撒き餌容器本体１０が海底に到達すると、図６に示すように、浮玉５が撒き餌容器本体１０のスリット１４から外れるように釣り人が釣り竿１を上げる。釣り竿１を上げると、スリット１４は上方にいくほど略Ｖ字型に拡開しているので、浮玉５はスリット１４から容易に外れると同時に、刺し餌７を付けた釣り針６が上げられるので、撒き餌８も多くが海中に散乱する。
そして、海底付近ではこの撒かれた撒き餌８を目指して海底付近にいる目的魚である大きさな魚が泳いできて、刺し餌７に魚が食いつくことで、目的魚を釣り上げることができる。
【００３４】
一方、撒き餌容器本体１０は海底に残っているが、撒き餌容器本体１０自体が自然に分解するように、撒き餌容器本体１０を保形するための結合素材に生分解性接着剤や生分解性プラスティックを用いていることで、約半日から約一日から数日程度で分解することになる。
また、撒き餌容器本体１０の材料としては、海底にもともと存在しているのと同じ材料である砂、土、泥、石粉等を用いているので、撒き餌容器本体１０が分解しても海底の環境を破壊することもない。
【００３５】
図７は撒き餌容器本体１０の他の例を示し、本実施形態の撒き餌容器本体１０は、底部１２の厚みを少し薄くし、また、スリット１４の数を１つとした場合である。本実施形態における撒き餌容器本体１０の材料や、使い方、効果は先の実施形態と同様なので説明は省略する。
【００３６】
図８及び図９は撒き餌容器本体１０の更に他の例を示し、撒き餌容器本体１０の底部１２の形状を略半球状にし、また、先の例のように両側に開口するスリット形状ではなく、撒き餌容器本体１０の内側に開口する溝１５を形成しているものである。
この溝１５は、上方へいくに従い拡開しているものであり、先の実施形態と同様に浮玉５の大きさが異なる場合でも浮玉５を溝１５内に容易に仮固定（仮係止）できるようにしている。この例においても撒き餌容器本体１０の材料や使用方法、効果は先の実施形態と同様である。
【００３７】
なお、上記実施形態において、撒き餌容器本体１０のスリット１４に浮玉５を係止して撒き餌容器本体１０を海中に落下するようにしていたが、浮玉５をスリット１４に必ずしも係止しなくても良い。
すなわち、浮玉５をスリット１４に係止せずに、刺し餌７を付けた釣り針６を撒き餌容器本体１０内に入れて、その上から撒き餌８を少し固めに充填することで、釣り針６が撒き餌容器本体１０内である程度仮固定され、その状態でリール２から送り出される道糸３により海中に落下していく。また、この場合も貫通口１３を介して海水が浸入していき、落下途中で撒き餌８を散乱させていく。
そして、海底付近ではこの撒かれた撒き餌８を目指して海底付近にいる目的魚である大きさな魚が泳いできて、刺し餌７に魚が食いつくことで、目的魚を釣り上げることができる。
【００３８】
（第２の実施の形態）
次に、第２の実施形態について図１０以降の図面により説明する。図１０（ａ）は本実施形態の撒き餌容器本体１０の平面図を示し、図１０（ｂ）は撒き餌容器本体１０の正面図を、図１０（ｃ）は撒き餌容器本体１０の側面図をそれぞれ示している。
【００３９】
本実施形態の撒き餌容器本体１０は、上下に貫通した略円筒状に形成されており、両側の面は傾斜面２１が形成されている。また、この撒き餌容器本体１０の大きさは片手で握ることができる程度の大きさである。
また、この撒き餌容器本体１０の側面には上下及び内部と外側に開口するスリット２２が形成されており、撒き餌容器本体１０の側面から見た場合の形状は、略Ｃ字型となっている。なお、後述するがこの撒き餌容器本体１０のスリット２２は、先の実施形態のスリット１４とは機能を異にしている。
【００４０】
なお、図１１はスリット２２側から見た撒き餌容器本体１０の斜視図を示し、図１２はスリット２２を背面側にした場合の斜視図を示している。
【００４１】
本実施形態の撒き餌容器本体１０への釣り針６や撒き餌８のセットの仕方や、使い方については後述するが、先に撒き餌容器本体１０の形状の例を説明する。図１３は他の例の撒き餌容器本体１０の正面図を示している。この撒き餌容器本体１０は、一方の端部に先の例と同様に傾斜面２１を形成し、他方の端部は傾斜面２１は形成せずに撒き餌容器本体１０の軸方向に対して直角にカットした場合の例である。
【００４２】
図１４は、更に他の例の撒き餌容器本体１０を示し、図１４（ａ）は撒き餌容器本体１０の斜視図を、図１４（ｂ）は撒き餌容器本体１０の正面図をそれぞれ示している。この撒き餌容器本体１０の両側の端部には傾斜面２１を形成せずに、両側とも撒き餌容器本体１０の軸方向に対して直角にカットした場合である。
なお、図１３及び図１４に示す撒き餌容器本体１０は、略円筒状であり、図１０（ａ）に示すような形状となっている。
【００４３】
図１５〜図１７は撒き餌容器本体１０の断面形状を略楕円形状とした場合の例を示している。この例では、撒き餌容器本体１０の両側の端部にはそれぞれ傾斜面２１を形成している場合である。また、図１８の例では撒き餌容器本体１０の両側の端部には傾斜面２１を形成していない場合であるが、一方の端部に傾斜面２１を形成するようにしても良い。
【００４４】
図１９〜図２１は断面形状を略三角形状にした場合であり、また両側の端部には傾斜面２１を形成している場合である。図２２は撒き餌容器本体１０の端部に傾斜面２１を形成していない場合であるが、一方の端部に傾斜面２１を形成するようにしても良い。
また、図示はしていないが、撒き餌容器本体１０の断面形状を略四角形状や、五角形状等の形状とし、両側に傾斜面２１を形成しても、形成しない場合でも良い。
【００４５】
次に、上記各例で傾斜面２１を形成している場合の利点について説明する。詳しくは後述するが、本実施形態の撒き餌容器本体１０においても刺し餌７を付けた釣り針６を該撒き餌容器本体１０内に入れた状態で撒き餌８を撒き餌容器本体１０内に充填する。
その際、片手で撒き餌容器本体１０を持って、他方の手で撒き餌８を撒き餌容器本体１０内に詰めていき、ほぼ撒き餌８を詰めきった際に、撒き餌容器本体１０を持っている手の親指で撒き餌８を押さえつつ撒き餌８の上面を傾斜面２１に沿って滑らすことで、撒き餌８を撒き餌容器本体１０内に充填し易く、且つ上面を綺麗に整えることができる。
【００４６】
特に、撒き餌容器本体１０を持っている手の親指を該撒き餌容器本体１０の端面に沿って前後に滑らす場合、傾斜面２１の場合は、親指を前後に傾斜面２１に沿って動かすので、親指を前後に動かすことがやり易くなり、スムーズに撒き餌８を詰めることができる。
しかし、撒き餌容器本体１０の端面が傾斜面２１ではなく、撒き餌容器本体１０の軸方向に対して直角になっていると、親指を前後に動かしにくくなり、スムーズに撒き餌８の充填作業や端面を整えることができず、時間がかかってしまうことになる。
【００４７】
撒き餌容器本体１０の端面に傾斜面２１を設けていなくても良いが、傾斜面２１を設けておく方が好適例である。
【００４８】
図２３は両側に傾斜面２１を設けた撒き餌容器本体１０の製造方法を示し、上述の砂や結合素材を混合して混ぜ合わせた材料を成型器３１に供給し、成型器３１では押し出し成型によりスリット２２を形成した略円筒状の製品が送り出されていく。そして、成型器３１より送り出された直後にカッター３２にて斜めに裁断していくことで、両側に傾斜面２１を設けた撒き餌容器本体１０が形成される。
なお、カッター３２の角度を変えることで、任意に傾斜を備えた傾斜面２１を形成でき、また、撒き餌容器本体１０の軸方向に対して直角にも切断することができる。
【００４９】
図２４（ａ）は押し出し成型直後に製作された撒き餌容器本体１０の側面図を、図２４（ｂ）は撒き餌容器本体１０の正面図をそれぞれ示している。成型器３１により押し出し成型直後に製作された撒き餌容器本体１０は、まだ固まってはおらず、柔らかい状態となっている。
この柔らかい状態のまま図２５に示すように、上下方向に略楕円形状とした受け台３４に載せる。図２６（ａ）は受け台３４に撒き餌容器本体１０を載せた状態を示しており、この状態で撒き餌容器本体１０を乾燥させるが、押し出し成型直後に製作された撒き餌容器本体１０は柔らかい状態なので、撒き餌容器本体１０の両側の部分が弛んでいって図２６（ｂ）の示すように、略楕円形状になり乾燥硬化する。
【００５０】
撒き餌容器本体１０が硬化すると、図２７に示すように、撒き餌容器本体１０を受け台３４から取り外す。このようにして略楕円形状の撒き餌容器本体１０を容易に製作することができる。
先の例では、撒き餌容器本体１０を乾燥させるのに、該撒き餌容器本体１０とほぼ同じ長さの受け台３４の場合について説明したが、図２８に示すように、長尺物の受け台３４を形成し、この受け台３４に複数の撒き餌容器本体１０を載せて乾燥させるようにしても良い。
【００５１】
図２９は、例えば、多数の撒き餌容器本体１０を販売する場合のケース３６を示し、このケース３６内には長く形成した受け台３４を複数並設した場合を示し、図２８で乾燥させた撒き餌容器本体１０を受け台３４に載せた状態でケース３６内に入れるようにしている。なお、図２９では撒き餌容器本体１０は図示していないが、製造工程で乾燥させた撒き餌容器本体１０を受け台３４のまま入れて、それをケース３６ごとワンセットとして販売するものである。
【００５２】
なお、上記の例では、略楕円形状とした撒き餌容器本体１０の場合について説明が、図２３に示す押し出し成型後に、撒き餌容器本体１０の内径より少し小さな外径のパイプに撒き餌容器本体１０を載せていき、乾燥させることで、略円形の撒き餌容器本体１０を製造することができる。
【００５３】
次に、本実施形態の撒き餌容器本体１０の使い方について説明する。撒き餌容器本体１０は略円筒状のために上下に貫通しており、この開口面が上述の傾斜面２１となっている。先ず、図３０に示すように、釣り針６に刺し餌７をセットし、次に、図３１（ａ）に示すように、釣り針６を撒き餌容器本体１０より下方に位置させた状態でハリス４を撒き餌容器本体１０のスリット２２から挿通させてハリス４を撒き餌容器本体１０の内部に持っていく。
【００５４】
そして、図３１（ｂ）に示すように、片手で撒き餌容器本体１０を持った状態で、他方の手で持っているハリス４を引き上げていき、刺し餌７が撒き餌容器本体１０の内部に位置させる。これにより、狭い撒き餌容器本体１０の内部に釣り針６及び刺し餌７をスムーズに収納することができる。
【００５５】
撒き餌容器本体１０の中に入った刺し餌７が内部にある状態で、他に用意している分解型の練り餌や同種の撒き餌８をハリス４側から指で適当な力を加えて押し込んでいき、刺し餌７を撒き餌容器本体１０の内部に安定した状態で位置させる。そして、撒き餌８を撒き餌８内にいっぱい入れた状態で、上述したように撒き餌容器本体１０の傾斜面２１を利用して親指を前後に動かして撒き餌８の上面を整える。
【００５６】
この状態の撒き餌容器本体１０を図３２に示すように、静かに海中に投入していき、図３３は撒き餌容器本体１０が海底に到達して倒れている状態を示している。また、撒き餌容器本体１０内の撒き餌８は撒き餌容器本体１０の下部の開口部分から海水が浸入することで、撒き餌容器本体１０の落下途中で撒き餌８が少し放出され、この放出された撒き餌８に目的魚ではない小魚が食いつき、小魚が刺し餌７を食べるのを防止できる。
【００５７】
海底に達した撒き餌容器本体１０は、通常は横になっているので、図３４に示すように、釣り竿１を少し立ててやると、図３５に示すように、撒き餌容器本体１０が直立する。
そして、そのまま釣り竿１を引くと、図３６に示すように、撒き餌容器本体１０に押し込まれていた撒き餌８が水分を含んで分解寸前となっているために海中に撒かれると同時に撒き餌容器本体１０内の刺し餌７が該撒き餌容器本体１０から目的魚の生息域の海中に放出されるものであり、しかも小魚が散ったタイミングに合わせて目的魚が刺し餌７に食いつき易くなる。
【００５８】
なお、撒き餌容器本体１０を略楕円形状としていることで、撒き餌容器本体１０内で撒き餌８が左右に大きく振れることがなく、そのため、撒き餌８や釣り針６が撒き餌容器本体１０の内面に引っかかることがなく、刺し餌７をスムーズに撒き餌容器本体１０から引き上げることができる。
【００５９】
海底に残った撒き餌容器本体１０は、何時間かの後に自然に分解する。撒き餌容器本体１０が分解しても先の実施形態と同様に、撒き餌容器本体１０自体の材料が海底にある成分と同じであるために、海底の環境を破壊することはない。
【符号の説明】
【００６０】
１  釣り竿
３  道糸
４  ハリス
５  浮玉
６  釣り針
７  刺し餌
８  撒き餌
１０  撒き餌容器本体
１２  底部
１３  貫通口
１４  スリット
１５  溝
２１  傾斜面
２２  スリット
【図１】
2013118822.tif 000003
【図２】
2013118822.tif 000004
【図３】
2013118822.tif 000005
【図４】
2013118822.tif 000006
【図５】
2013118822.tif 000007
【図６】
2013118822.tif 000008
【図７】
2013118822.tif 000009
【図８】
2013118822.tif 000010
【図９】
2013118822.tif 000011
【図１０】
2013118822.tif 000012
【図１１】
2013118822.tif 000013
【図１２】
2013118822.tif 000014
【図１３】
2013118822.tif 000015
【図１４】
2013118822.tif 000016
【図１５】
2013118822.tif 000017
【図１６】
2013118822.tif 000018
【図１７】
2013118822.tif 000019
【図１８】
2013118822.tif 000020
【図１９】
2013118822.tif 000021
【図２０】
2013118822.tif 000022
【図２１】
2013118822.tif 000023
【図２２】
2013118822.tif 000024
【図２３】
2013118822.tif 000025
【図２４】
2013118822.tif 000026
【図２５】
2013118822.tif 000027
【図２６】
2013118822.tif 000028
【図２７】
2013118822.tif 000029
【図２８】
2013118822.tif 000030
【図２９】
2013118822.tif 000031
【図３０】
2013118822.tif 000032
【図３１】
2013118822.tif 000033
【図３２】
2013118822.tif 000034
【図３３】
2013118822.tif 000035
【図３４】
2013118822.tif 000036
【図３５】
2013118822.tif 000037
【図３６】
2013118822.tif 000038